(57)【要約】      （修正有）【課題】ケース本体に収納された御朱印帳を容易に取り出すことができる、御朱印帳ケースを提供する。【解決手段】御朱印帳ケース１０は、ケース本体１２と、蓋部１４と、ヒンジ部１６とを備える。ケース本体は、第１収納空間Ｓ１と、第１収納空間に御朱印帳を出し入れするための第１開口Ｑ１とを有する。蓋部は、第１開口を構成する開口部４６にヒンジ部を介して取り付けられている。ケース本体は、御朱印帳の表面および裏面の一方に対向する第１壁部２２と、他方に対向する第２壁部２４と、周壁部２６とを有する。第１壁部、第２壁部および周壁部のそれぞれの内面には、起毛されたスエード状の人工皮革（第１人工皮革）４２が設けられる。第１開口は、第１壁部と第２壁部との間において、第１壁部および第２壁部のそれぞれに対して平行方向へ開いて設けられる。【選択図】図２
0003230700.tif 000002
【実用新案登録請求の範囲】
【請求項１】
御朱印帳を収納するための収納空間と前記収納空間に対して御朱印帳を出し入れするための開口とを有するケース本体と、
前記開口を開閉するための蓋部とを備え、
前記ケース本体は、前記御朱印帳の表面および裏面の一方に対向する第１壁部と、前記御朱印帳の表面および裏面の他方に対向する第２壁部と、前記第１壁部と前記第２壁部とを繋ぐ周壁部とを有しており、
前記開口は、前記第１壁部と前記第２壁部との間において、前記第１壁部および前記第２壁部のそれぞれに対して平行方向へ開いて設けられており、
前記蓋部は、前記ケース本体における前記開口を構成する開口部にヒンジ部を介して回動可能に取り付けられている、御朱印帳ケース。
【請求項２】
前記蓋部に対向する前記開口部の第１対向面および前記開口部に対向する前記蓋部の第２対向面の少なくとも一方には、突起部が設けられており、
前記蓋部で前記開口を閉じたとき、前記突起部が前記蓋部または前記開口部に接触することによって、前記第１対向面と前記第２対向面との間に隙間が構成される、請求項１に記載の御朱印帳ケース。
【請求項３】
前記第１壁部の内面および前記第２壁部の内面の少なくとも一方には、起毛されたスエード状の第１人工皮革が設けられている、請求項１または２に記載の御朱印帳ケース。
【請求項４】
前記蓋部の内表面には、起毛されたスエード状の第２人工皮革が、前記第１人工皮革と一体に設けられており、
前記第１人工皮革と前記第２人工皮革との境界部分によって、前記ヒンジ部の一部または全部が構成されている、請求項３に記載の御朱印帳ケース。
【請求項５】
前記第１壁部の外面および前記第２壁部の外面の少なくとも一方には、起毛されたスエード状の第３人工皮革が設けられている、請求項１ないし４のいずれか１項に記載の御朱印帳ケース。
【請求項６】
前記蓋部の外表面には、起毛されたスエード状の第４人工皮革が、前記第３人工皮革と一体に設けられており、
前記第３人工皮革と前記第４人工皮革との境界部分によって、前記ヒンジ部の一部または全部が構成されている、請求項５に記載の御朱印帳ケース。
【請求項７】
前記第３人工皮革の内側には、衝撃吸収性を有するクッション材が設けられている、請求項５または６に記載の御朱印帳ケース。
【請求項８】
前記蓋部で前記開口を閉じたときに前記蓋部を固定する固定手段を備え、
前記固定手段は、前記蓋部に対向する前記開口部の第１対向面および前記開口部に対向する前記蓋部の第２対向面の一方に埋め込まれた磁石と、これらの他方に埋め込まれて、前記磁石に対して磁力で吸着される強磁性体とを有する、請求項１ないし７のいずれか１項に記載の御朱印帳ケース。
【考案の詳細な説明】
【技術分野】
【０００１】
本考案は、御朱印帳を収納する御朱印帳ケースに関する。
【背景技術】
【０００２】
御朱印帳は、神社や寺院で御朱印を収集する際に用いられる専用の帳面であり、和紙を折りたたんで蛇腹状にしたものや、和紙を和装本状に綴じたものなどが市販されている。御朱印帳では、その本体の形態や材質のほか、表紙のデザインも重視されており、例えば、表紙に刺繍が施されたものや、表紙が鏡面仕上げに加工されたものなどが人気を集めている。
【０００３】
御朱印帳ケースは、御朱印帳の本体を構成する和紙や、御朱印帳の表紙に施された装飾（刺繍および塗装など）を保護するために御朱印帳を収納するケースであり、従来から様々な形状および材質のものが存在する。例えば、下記特許文献１に記載された御朱印帳ケースは、開口を構成する開口部を有する直方体状のケース本体と、開口を開閉する板状の蓋部とを有している。ケース本体および蓋部は、半透明の合成樹脂材料で形成されており、蓋部は、ケース本体に収納された御朱印帳の表面に対向するように設けられている。
【先行技術文献】
【特許文献】
【０００４】
【特許文献１】実用新案登録第３２０２０７３号
【０００５】
しかしながら、特許文献１に記載された御朱印帳ケースでは、ケース本体に収納された御朱印帳をその表面に対して直交する方向へ移動させて取り出す必要があるため、その取り出し作業が困難であるという問題があった。つまり、ケース本体に収納された御朱印帳の側面とケース本体の内面との間には、手指を入れるための隙間が十分に確保されてないため、御朱印帳を手指で引き出すことは容易ではなかった。また、ケース本体の開口を下方に向けることによって、御朱印帳をケース本体から落下させて取り出すことも考えられるが、この場合には、御朱印帳の全体が一気に落下するため、御朱印帳を手で受け止めることは容易ではなかった。
【考案の概要】
【０００６】
本考案は上記問題に対処するためになされたものであり、その目的は、ケース本体に収納された御朱印帳を容易に取り出すことができる、御朱印帳ケースを提供することにある。
【０００７】
上記目的を達成するため、本考案に係る御朱印帳ケースの特徴は、御朱印帳を収納するための収納空間と前記収納空間に対して御朱印帳を出し入れするための開口とを有するケース本体と、前記開口を開閉するための蓋部とを備え、前記ケース本体は、前記御朱印帳の表面および裏面の一方に対向する第１壁部と、前記御朱印帳の表面および裏面の他方に対向する第２壁部と、前記第１壁部と前記第２壁部とを繋ぐ周壁部とを有しており、前記開口は、前記第１壁部と前記第２壁部との間において、前記第１壁部および前記第２壁部のそれぞれに対して平行方向へ開いて設けられており、前記蓋部は、前記ケース本体における前記開口を構成する開口部にヒンジ部を介して回動可能に取り付けられていることにある。
【０００８】
この構成では、ケース本体の開口が、第１壁部と第２壁部との間において、第１壁部および第２壁部のそれぞれに対して平行方向へ開いて設けられているので、御朱印帳を収納空間から取り出すときには、御朱印帳をその表面および裏面に対して平行方向へ移動させることができる。したがって、ケース本体の開口が下方へ向くように御朱印帳ケースを傾斜させた場合でも、御朱印帳の全体が一気に落下することを抑制でき、御朱印帳の一部を開口から外部へ突出させた後に、その突出した部分を手で掴んで全体を引き出すことができる。これにより、御朱印帳を収納空間から簡単かつ丁寧に取り出すことができる。
【０００９】
本考案に係る御朱印帳ケースの他の特徴は、前記蓋部に対向する前記開口部の第１対向面および前記開口部に対向する前記蓋部の第２対向面の少なくとも一方には、突起部が設けられており、前記蓋部で前記開口を閉じたとき、前記突起部が前記蓋部または前記開口部に接触することによって、前記第１対向面と前記第２対向面との間に隙間が構成されることにある。
【００１０】
この構成によれば、蓋部で開口を閉じたときに、第１対向面と第２対向面との間に隙間が構成されるので、収納空間の内部の湿気を隙間から逃がすことが可能であり、御朱印帳が湿気で劣化することを抑制できる。
【００１１】
本考案に係る御朱印帳ケースの他の特徴は、前記第１壁部の内面および前記第２壁部の内面の少なくとも一方には、起毛されたスエード状の第１人工皮革が設けられていることにある。
【００１２】
この構成によれば、収納空間に対して御朱印帳を出し入れする際に、御朱印帳の表面または裏面に付着した汚れを第１人工皮革で拭き取ることができる。
【００１３】
本考案に係る御朱印帳ケースの他の特徴は、前記蓋部の内表面には、起毛されたスエード状の第２人工皮革が、前記第１人工皮革と一体に設けられており、前記第１人工皮革と前記第２人工皮革との境界部分によって、前記ヒンジ部の一部または全部が構成されていることにある。
【００１４】
この構成によれば、御朱印帳の表面または裏面に付着した汚れを、蓋部の内表面に設けられた第２人工皮革で拭き取ることができる。また、第１人工皮革と第２人工皮革との境界部分によって、ヒンジ部の一部または全部が構成されているので、ヒンジ部を簡素化して、製造コストを低く抑えることができる。
【００１５】
本考案に係る御朱印帳ケースの他の特徴は、前記第１壁部の外面および前記第２壁部の外面の少なくとも一方には、起毛されたスエード状の第３人工皮革が設けられていることにある。
【００１６】
この構成によれば、第１壁部の外面および第２壁部の外面の少なくとも一方に第３人工皮革が設けられているので、収納空間から取り出された御朱印帳の表面または裏面に付着した汚れを、第３人工皮革で拭き取ることができる。
【００１７】
本考案に係る御朱印帳ケースの他の特徴は、前記蓋部の外表面には、起毛されたスエード状の第４人工皮革が、前記第３人工皮革と一体に設けられており、前記第３人工皮革と前記第４人工皮革との境界部分によって、前記ヒンジ部の一部または全部が構成されていることにある。
【００１８】
この構成によれば、御朱印帳の表面または裏面に付着した汚れを、蓋部の外表面に設けられた第４人工皮革で拭き取ることができる。また、第３人工皮革と第４人工皮革との境界部分によって、ヒンジ部の一部または全部が構成されているので、ヒンジ部を簡素化して、製造コストを低く抑えることができる。
【００１９】
本考案に係る御朱印帳ケースの他の特徴は、前記第３人工皮革の内側には、衝撃吸収性を有するクッション材が設けられていることにある。
【００２０】
この構成によれば、第３人工皮革の内側にクッション材が設けられているので、第３人工皮革の汚れの拭き取り性能を向上させることができるとともに、ケース本体を衝撃から保護することができる。
【００２１】
本考案に係る御朱印帳ケースの他の特徴は、前記蓋部で前記開口を閉じたときに前記蓋部を固定する固定手段を備え、前記固定手段は、前記蓋部に対向する前記開口部の第１対向面および前記開口部に対向する前記蓋部の第２対向面の一方に埋め込まれた磁石と、これらの他方に埋め込まれて、前記磁石に対して磁力で吸着される強磁性体とを有することにある。
【００２２】
この構成によれば、蓋部で開口を閉じたときに、蓋部を磁力で固定することができる。また、当該磁力よりも強い力で蓋部を回動させることによって、開口を簡単に開くことができる。
【図面の簡単な説明】
【００２３】
【図１】実施形態に係る御朱印帳ケースの構成を示す斜視図である。
【図２】ケース本体の第１開口を開いた状態を示す部分斜視図である。
【図３】実施形態に係る御朱印帳ケースの構成を示す正面図である。
【図４】図３におけるＩＶ−ＩＶ線断面図である。
【図５】図３におけるＶ−Ｖ線断面図である。
【考案を実施するための形態】
【００２４】
以下、本考案に係る御朱印帳ケースの実施形態について、図面を参照しながら説明する。
【００２５】
（実施形態に係る御朱印帳ケースの構成）
図１は、実施形態に係る御朱印帳ケース１０の構成を示す斜視図である。図２は、ケース本体１２の第１開口Ｑ１を開いた状態を示す部分斜視図である。なお、以下の説明で用いる前後、上下および左右の各方向は、使用者から見た方向であり、図中に矢印で示す各方向と一致する。
【００２６】
図１に示す御朱印帳ケース１０は、御朱印帳Ｘを収納するための専用のケースである。市販されている一般的な御朱印帳Ｘのサイズは、「横１６０ｍｍ×縦１１０ｍｍ」および「横１８０ｍｍ×縦１２０ｍｍ」の２種類が存在する。そこで、本実施形態の御朱印帳ケース１０では、大きい方（後者）の御朱印帳Ｘを収納するために、その全体サイズが「横２０７ｍｍ×縦１４７ｍｍ」に定められている。
【００２７】
図１に示す御朱印帳Ｘの表紙に施される装飾には、様々な種類のものが存在するが、本実施形態の御朱印帳ケース１０は、汚れを拭き取る機能（後述）を有するため、特に、表紙に汚れ易い装飾が施された御朱印帳Ｘの収納に適する。なお、表紙に汚れ易い装飾が施された御朱印帳Ｘとしては、例えば、表紙や裏表紙の表面に所謂ピアノ塗装などの鏡面仕上げ加工を施した御朱印帳Ｘや、漆器の技術で装飾が施された御朱印帳Ｘなどがある。これらの装飾では、使用者の指紋が汚れとして表紙に付着し易い。なお、一般的な御朱印帳Ｘでは、その表面が表表紙で構成されており、その裏面が裏表紙で構成されている。
【００２８】
図２に示すように、御朱印帳ケース１０は、ケース本体１２と、蓋部１４と、ヒンジ部１６と、第１固定手段１８とを備えている。また、図１に示すように、御朱印帳ケース１０は、第２固定手段２０を備えている。
【００２９】
図２に示すように、ケース本体１２は、図１に示す御朱印帳Ｘの大部分を収納するための第１収納空間Ｓ１と、第１収納空間Ｓ１に対して御朱印帳Ｘを出し入れするための第１開口Ｑ１とを有している。一方、蓋部１４は、図１に示す御朱印帳Ｘの一部を収納するための第２収納空間Ｓ２と、第２収納空間Ｓ２に対して御朱印帳Ｘの一部を出し入れするための第２開口Ｑ２とを有している。ケース本体１２と蓋部１４とは、大きさや開口Ｑ１，Ｑ２の向きが異なるものの、ほぼ同じ構造に構成されており、ケース本体１２の後部と蓋部１４の後部とが、ヒンジ部１６を介して互いに接合されている。
【００３０】
図２に示すように、ケース本体１２は、上記の第１収納空間Ｓ１および第１開口Ｑ１を構成するために、御朱印帳Ｘ（図１）の表面および裏面の一方に対向する第１壁部２２と、御朱印帳Ｘの表面および裏面の他方に対向する第２壁部２４と、第１壁部２２と第２壁部２４とを繋ぐ周壁部２６とを有している。第１開口Ｑ１は、第１壁部２２と第２壁部２４との間において、第１壁部２２および第２壁部２４のそれぞれに対して平行方向（上方）へ開いて設けられている。
【００３１】
図２に示すように、本実施形態のケース本体１２は、外箱部２８と、外箱部２８の内側に嵌め込まれた内箱部３０とを有しており、上記の第１壁部２２、第２壁部２４および周壁部２６は、外箱部２８および内箱部３０によって、二重構造に構成されている。
【００３２】
図３は、御朱印帳ケース１０の構成を示す正面図である。図４は、図３におけるＩＶ−ＩＶ線断面図である。図５は、図３におけるＶ−Ｖ線断面図である。図２に示す外箱部２８は、図４に示す底板２８ａ、前側板２８ｂおよび後側板２８ｃと、図５に示す左側板２８ｄおよび右側板２８ｅとを有する箱状に形成されている。図４に示すように、外箱部２８の上部には、ケース本体１２の第１開口Ｑ１を構成する外側開口部３２が上方へ開いて設けられている。また、図５に示すように、左側板２８ｄおよび右側板２８ｅのそれぞれの内側には、これらを補強するための左補強板３４ａおよび右補強板３４ｂが設けられている。
【００３３】
上記の底板２８ａ、前側板２８ｂ、後側板２８ｃ、左側板２８ｄおよび右側板２８ｅのそれぞれの材質は、特に限定されるものではないが、本実施形態では、クラフト紙にフェノール樹脂を含浸させることによって製造されたフェノールバッカーが用いられている。また、上記の左補強板３４ａおよび右補強板３４ｂの材質は、特に限定されるものではないが、本実施形態では、ＭＤＦ（木質繊維材）が用いられている。そして、図５に示すように、左側板２８ｄおよび右側板２８ｅと左補強板３４ａおよび右補強板３４ｂとは、接着剤や両面テープなどの接合手段を用いて互いに接合されている。
【００３４】
図４に示す底板２８ａならびに図５に示す左側板２８ｄおよび右側板２８ｅのそれぞれの外面には、起毛されたスエード状の人工皮革（第３人工皮革）３６が、接着剤や両面テープなどの接合手段を用いて接合されている。また、図４および図５に示す前側板２８ｂおよび後側板２８ｃのそれぞれの外面には、スポンジなどの衝撃吸収性を有する板状のクッション材３８が、接着剤や両面テープなどの接合手段を用いて層状に接合されている。さらに、クッション材３８の外面には、起毛されたスエード状の人工皮革（第３人工皮革）３６が、接着剤や両面テープなどの接合手段を用いて接合されている。つまり、本実施形態では、第１壁部２２および第２壁部２４のそれぞれにおける人工皮革（第３人工皮革）３６の内側にクッション材３８が設けられている。
【００３５】
なお、人工皮革（第３人工皮革）３６の種類は、特に限定されるものではないが、本実施形態では、ウルトラスエード（登録商標）が用いられている。ウルトラスエード（登録商標）は、ソフトな手触りで上質な素材感があり、色落ちがし難く、適度な通気性と透湿性を有していることから、ケース本体１２の表面を構成する材料としてふさわしい。人工皮革（第３人工皮革）３６は、その起毛された毛によって御朱印帳Ｘ（図１）の表紙に付着した汚れを拭き取る機能を発揮する。
【００３６】
図２に示すケース本体１２の内箱部３０は、図４に示す底板３０ａ、前側板３０ｂおよび後側板３０ｃと、図５に示す左側板３０ｄおよび右側板３０ｅとを有する箱状に形成されている。図４に示すように、内箱部３０の上部には、ケース本体１２の第１開口Ｑ１を構成する内側開口部４０が上方へ開いて設けられている。
【００３７】
上記の底板３０ａ、前側板３０ｂ、後側板３０ｃ、左側板３０ｄおよび右側板３０ｅのそれぞれの材質は、特に限定されるものではないが、本実施形態では、ボール紙が用いられている。図４に示す底板３０ａ、前側板３０ｂおよび後側板３０ｃならびに図５に示す左側板３０ｄおよび右側板３０ｅのそれぞれの内面には、起毛されたスエード状の人工皮革（第１人工皮革）４２が接着剤や両面テープなどの接合手段を用いて接合されている。人工皮革（第１人工皮革）４２の種類は、特に限定されるものではないが、本実施形態では、上記の人工皮革（第３人工皮革）３６と同様にウルトラスエード（登録商標）が用いられている。人工皮革（第１人工皮革）４２は、その起毛された毛によって御朱印帳Ｘの表紙に付着した汚れを拭き取る機能を発揮する。
【００３８】
図４および図５に示すように、ケース本体１２の内箱部３０は、外箱部２８の内側に嵌め込まれて、接着剤や両面テープなどの接合手段を用いて外箱部２８に接合されている。したがって、ケース本体１２においては、外箱部２８の前側板２８ｂと内箱部３０の前側板３０ｂとによって、第１壁部２２が構成されており、外箱部２８の後側板２８ｃと内箱部３０の後側板３０ｃとによって、第２壁部２４が構成されている。また、外箱部２８の底板２８ａ、左側板２８ｄ、右側板２８ｅ、左補強板３４ａおよび右補強板３４ｂと、内箱部３０の底板３０ａ、左側板３０ｄおよび右側板３０ｅとによって、周壁部２６が構成されている。さらに、図４に示すように、外箱部２８の外側開口部３２と内箱部３０の内側開口部４０とによって、第１開口Ｑ１を構成する開口部４６が上方へ開いて設けられている。
【００３９】
そして、ケース本体１２においては、第１壁部２２、第２壁部２４および周壁部２６のそれぞれの内面に人工皮革（第１人工皮革）４２が設けられており、第１壁部２２、第２壁部２４および周壁部２６のそれぞれの外面に人工皮革（第３人工皮革）３６が設けられている。
【００４０】
図２に示すように、蓋部１４は、ケース本体１２の第１開口Ｑ１を開閉するための部材であり、ケース本体１２の開口部４６にヒンジ部１６を介して回動可能に取り付けられている。ケース本体１２と蓋部１４とは、ほぼ同じ構造に構成されている。すなわち、蓋部１４は、御朱印帳Ｘ（図１）の表面および裏面の一方に対向する第１壁部４８と、御朱印帳Ｘの表面および裏面の他方に対向する第２壁部５０と、第１壁部４８と第２壁部５０とを繋ぐ周壁部５２とを有している。蓋部１４の第２開口Ｑ２は、第１壁部４８と第２壁部５０との間において、第１壁部４８および第２壁部５０のそれぞれに対して平行方向（下方）へ開いて設けられている。
【００４１】
本実施形態の蓋部１４は、外箱部５４と、外箱部５４の内側に嵌め込まれた内箱部５６とを有しており、上記の第１壁部４８、第２壁部５０および周壁部５２は、外箱部５４および内箱部５６によって、二重構造に構成されている。外箱部５４および内箱部５６の具体的な構成は、ケース本体１２の外箱部２８および内箱部３０とほぼ同じであるため、その説明は省略する。
【００４２】
図４に示すように、蓋部１４の内箱部５６は、外箱部５４の内側に嵌め込まれて、接着剤や両面テープなどの接合手段を用いて外箱部５４に接合されている。したがって、蓋部１４においては、外箱部５４と内箱部５６とによって、第１壁部４８、第２壁部５０および周壁部５２が構成されている。そして、第１壁部４８、第２壁部５０および周壁部５２のそれぞれの内面には、ケース本体１２の人工皮革（第１人工皮革）４２と同様の人工皮革（第２人工皮革）５８が設けられており、第１壁部４８、第２壁部５０および周壁部５２のそれぞれの外面には、ケース本体１２の人工皮革（第３人工皮革）３６と同様の人工皮革（第４人工皮革）６０が設けられている。
【００４３】
図４に示すように、ケース本体１２を構成する人工皮革（第１人工皮革）４２は、蓋部１４を構成する人工皮革（第２人工皮革）５８と一体に設けられており、人工皮革（第１人工皮革）４２と人工皮革（第２人工皮革）５８との境界に位置する第１境界部分６２によって、ヒンジ部１６の一部が構成されている。また、ケース本体１２を構成する人工皮革（第３人工皮革）３６は、蓋部１４を構成する人工皮革（第４人工皮革）６０と一体に設けられており、人工皮革（第３人工皮革）３６と人工皮革（第４人工皮革）６０との境界に位置する第２境界部分６４によって、ヒンジ部１６の一部が構成されている。本実施形態では、第１境界部分６２と第２境界部分６４とによってヒンジ部１６の全体が構成されており、独立した回動機構は設けられてない。
【００４４】
図４に示すように、ケース本体１２の第１開口Ｑ１を蓋部１４で閉じた状態において、蓋部１４に対向する開口部４６の第１対向面７０および開口部４６に対向する蓋部１４の第２対向面７２は、後方から前方へ向かって徐々に低くなるように傾斜して形成されている。これにより、第１開口Ｑ１および第２開口Ｑ２のそれぞれの実質的な開口面積が広く確保されている。
【００４５】
図４に示すように、第１対向面７０および第２対向面７２のそれぞれには、互いに接触する突起部７４ａ，７４ｂが設けられている。したがって、ケース本体１２の第１開口Ｑ１を蓋部１４で閉じたときには、第１対向面７０と第２対向面７２との間に、空気が通る隙間Ｕが構成される。
【００４６】
図４に示す第１固定手段１８は、蓋部１４で第１開口Ｑ１を閉じたときに蓋部１４を磁力で固定する手段である。第１固定手段１８は、蓋部１４に対向する開口部４６の第１対向面７０および開口部４６に対向する蓋部１４の第２対向面７２の一方に埋め込まれた磁石７８と、これらの他方に埋め込まれて、磁石７８に対して磁力で吸着される強磁性体８０とを有している。図５に示すように、本実施形態では、ケース本体１２を構成する左補強板３４ａおよび右補強板３４ｂのそれぞれの上端部に凹部８１が設けられており、これらの凹部８１の内側に磁石７８が配置されている。また、蓋部１４を構成する左補強板および右補強板（図示省略）のそれぞれの下端部にも凹部（図示省略）が設けられており、これらの凹部の内側に強磁性体８０が配置されている。
【００４７】
図４に示すように、本実施形態では、隙間Ｕを構成するための突起部７４ａ，７４ｂが、磁石７８および強磁性体８０のそれぞれに対応する位置に配置されている。したがって、蓋部１４で第１開口Ｑ１を閉じた状態では、突起部７４ａと突起部７４ｂとが互いに接触するとともに、これらが第１固定手段１８の磁力で確実に接合される。なお、強磁性体８０は、磁石７８に対して磁力で吸着される性質を有していればよく、磁石になっていない鉄等であってもよいし、磁石となった鉄等であってもよい。
【００４８】
図３に示すように、第２固定手段２０は、蓋部１４で第１開口Ｑ１（図２）を閉じたときに蓋部１４を引っ掛け構造により固定するものである。第２固定手段２０は、組紐部８２と、組紐部８２が引っ掛けられるボタン部８４とを有している。組紐部８２は、「菊結び」で結ばれた結び部８２ａと、結び部８２ａから下方へ延びて形成された環状部８２ｂと、環状部８２ｂの下端部からさらに下方へ延びて形成されたフサ部８２ｃとを有している。ボタン部８４は、「釈迦結び」で結ばれた結び部８４ａを有している。そして、ボタン部８４が、ケース本体１２の前面の上部における左右方向中央部に取り付けられており、組紐部８２が、蓋部１４の前面の下部における左右方向中央部に取り付けられている。蓋部１４を固定するとき、組紐部８２の環状部８２ｂがボタン部８４の結び部８４ａに引掛けられる。
【００４９】
（実施形態に係る御朱印帳ケースの作動）
図１に示す御朱印帳Ｘをケース本体１２の第１収納空間Ｓ１（図２）から取り出すとき、使用者は、蓋部１４を開いた後、第１開口Ｑ１（図２）が下方へ向くように御朱印帳ケース１０の全体を傾斜させる。すると、御朱印帳Ｘは、ケース本体１２の内面を第１開口Ｑ１側へ滑り、御朱印帳Ｘの一部が第１開口Ｑ１から外部へ突出する。したがって、使用者は、御朱印帳Ｘの第１開口Ｑ１から突出した部分を手で掴むことによって、御朱印帳Ｘを第１収納空間Ｓ１から簡単かつ丁寧に取り出すことができる。また、御朱印帳Ｘを第１収納空間Ｓ１に収納するときには、使用者は、御朱印帳Ｘの一部を第１開口Ｑ１に挿し込んだ後、御朱印帳Ｘの全体を第１収納空間Ｓ１に押し込むことができる。したがって、御朱印帳Ｘを第１収納空間Ｓ１に対して簡単かつ丁寧に収納することができる。
【００５０】
（実施形態に係る御朱印帳ケースの効果）
本実施形態によれば、上記構成により以下の各効果を奏することができる。すなわち、図４に示すように、蓋部１４で第１開口Ｑ１を閉じたときには、第１対向面７０と第２対向面７２との間に隙間Ｕが構成されるので、第１収納空間Ｓ１の内部の湿気を隙間Ｕから逃がすことが可能であり、御朱印帳Ｘが湿気で劣化することを抑制できる。
【００５１】
第１壁部２２の内面および第２壁部２４の内面には、起毛されたスエード状の人工皮革（第１人工皮革）４２が設けられているので、第１収納空間Ｓ１に対して御朱印帳Ｘを出し入れする際に、御朱印帳Ｘの表面または裏面に付着した汚れを人工皮革（第１人工皮革）４２で拭き取ることができる。
【００５２】
蓋部１４の内表面には、起毛されたスエード状の人工皮革（第２人工皮革）５８が、人工皮革（第１人工皮革）４２と一体に設けられているので、御朱印帳Ｘの表面または裏面に付着した汚れを、人工皮革（第２人工皮革）５８で拭き取ることができる。また、人工皮革（第１人工皮革）４２と人工皮革（第２人工皮革）５８との境界に位置する第１境界部分６２によって、ヒンジ部１６の一部が構成されているので、ヒンジ部１６を簡素化して、製造コストを低く抑えることができる。
【００５３】
第１壁部２２の外面および第２壁部２４の外面には、起毛されたスエード状の人工皮革（第３人工皮革）３６が設けられているので、第１収納空間Ｓ１から取り出された御朱印帳Ｘの表面または裏面に付着した汚れを、人工皮革（第３人工皮革）３６で拭き取ることができる。
【００５４】
蓋部１４の外表面には、起毛されたスエード状の人工皮革（第４人工皮革）６０が、人工皮革（第３人工皮革）３６と一体に設けられているので、御朱印帳Ｘの表面または裏面に付着した汚れを、人工皮革（第４人工皮革）６０で拭き取ることができる。また、人工皮革（第３人工皮革）３６と人工皮革（第４人工皮革）６０との境界に位置する第２境界部分６４によって、ヒンジ部１６の一部が構成されているので、ヒンジ部１６を簡素化して、製造コストを低く抑えることができる。
【００５５】
第１壁部２２および第２壁部２４のそれぞれにおける人工皮革（第３人工皮革）３６の内側には、衝撃吸収性を有するクッション材３８が設けられているので、人工皮革（第３人工皮革）３６の汚れの拭き取り性能を向上させることができるとともに、ケース本体１２を衝撃から保護することができる。
【００５６】
第１固定手段１８は、第１対向面７０および第２対向面７２の一方に埋め込まれた磁石７８と、第１対向面７０および第２対向面７２の他方に埋め込まれて、磁石７８に対して磁力で吸着される強磁性体８０とを有しているので、蓋部１４で第１開口Ｑ１を閉じたときには、蓋部１４を磁力で固定することができる。また、当該磁力よりも強い力で蓋部１４を回動させることによって、第１開口Ｑ１を簡単に開くことができる。
【００５７】
（変形例）
なお、本考案の実施にあたっては、上記実施形態に限定されず、本考案の目的を逸脱しない限りにおいて種々の変更が可能である。すなわち、上記実施形態では、一般的な御朱印帳の大きい方のサイズ「横１８０ｍｍ×縦１２０ｍｍ」に合わせて御朱印帳ケース１０の各部分のサイズが定められているが、一般的な御朱印帳の小さい方のサイズ「横１６０ｍｍ×縦１１０ｍｍ」に合わせて御朱印帳ケース１０の各部分のサイズが定められてもよい。
【００５８】
上記実施形態では、第１壁部２２、第２壁部２４および周壁部２６のそれぞれの内面に人工皮革（第１人工皮革）４２が設けられているが、人工皮革（第１人工皮革）４２は、第１壁部２２および第２壁部２４の一方の内面にだけ設けられてもよい。また、人工皮革（第３人工皮革）３６は、第１壁部２２および第２壁部２４の一方の外面にだけ設けられてもよい。さらに、人工皮革（第１人工皮革）４２および人工皮革（第３人工皮革）３６の一方または両方は省略されてもよい。
【００５９】
上記実施形態では、第１境界部分６２と第２境界部分６４とによってヒンジ部１６の全体が構成されているが、ヒンジ部１６は、第１境界部分６２および第２境界部分６４の一方だけで構成されてもよい。また、ヒンジ部１６は、金属製の独立した部品として構成されてもよい。
【００６０】
上記実施形態では、第１対向面７０および第２対向面７２のそれぞれに、互いに接触する突起部７４ａ，７４ｂが設けられているが、突起部は、第１対向面７０および第２対向面７２の一方だけに設けられてもよい。また、第１対向面７０および第２対向面７２のそれぞれに設けられる突起部７４ａ，７４ｂは、互いに接触しないように配置されてもよい。さらに、突起部７４ａ，７４ｂは、省略されてもよい。
【００６１】
上記実施形態では、第１壁部２２、第２壁部２４および周壁部２６が二重構造に構成されているが、これらは、単層構造（一重構造）に構成されてもよいし、三重以上の複層構造に構成されてもよい。
【符号の説明】
【００６２】
Ｑ１…第１開口、Ｑ２…第２開口、Ｓ１…第１収納空間、Ｓ２…第２収納空間、Ｕ…隙間、Ｘ…御朱印帳、１０…御朱印帳ケース、１２…ケース本体、１４…蓋部、１６…ヒンジ部、１８…第１固定手段、２０…第２固定手段、２２…第１壁部、２４…第２壁部、２６…周壁部、２８…外箱部、３０…内箱部、３２…外側開口部、３６…人工皮革（第３人工皮革）、３８…クッション材、４２…人工皮革（第１人工皮革）、４６…開口部、５８…人工皮革（第２人工皮革）、６０…人工皮革（第４人工皮革）、６２…第１境界部分、６４…第２境界部分、７０…第１対向面、７２…第２対向面、７４ａ，７４ｂ…突起部、７８…磁石、８０…強磁性体。
【図１】
0003230700.tif 000003
【図２】
0003230700.tif 000004
【図３】
0003230700.tif 000005
【図４】
0003230700.tif 000006
【図５】
0003230700.tif 000007